(57)【要約】【課題】  コルク栓を栓抜きする場合に、使う人によって個人差が出ないように安全に、失敗無く、簡単で楽に栓抜きできる電動式のコルク栓抜き器を提供することにある。【解決手段】  コルク栓９１を備えたボトルネック９０を挿入する挿入口１１と、挿入されたボトルネック９０に本器具１０を固定するための器具固定機能と、挿入されたボトルネック９０のコルク栓９１と係合してコルク栓９１を引き抜く電動のコルク栓引抜機能と、引き抜いたコルク栓９１の係合を解いてコルク栓９１を取り外すコルク栓取外機能を備える。【選択図】  図１
2007119007.tif 000002
【特許請求の範囲】
【請求項１】
コルク栓を備えたボトルネックを挿入する挿入口と、
挿入されたボトルネックに本器具を固定するための器具固定機能と、
挿入されたボトルネックのコルク栓と係合してコルク栓を引き抜く電動のコルク栓引抜機能とを備えたことを特徴とする電動式コルク栓抜き器。
【請求項２】
引き抜いたコルク栓の係合を解いてコルク栓を取り外すコルク栓取外機能を備えたことを特徴とする請求項１記載の電動式コルク栓抜き器。
【請求項３】
器具固定機能は、挿入口内面へ出没自在なチャッキングレバーと、
当該チャッキングレバーを挿入口側へ付勢して挿入口内面へ突出させて挿入されたボトルネックへ係止させるとともに、チャッキングレバーの挿入口側への付勢を解いてボトルネックへの係止を解除するチャッキングリングとを備えたことを特徴とする請求項１又は２記載の電動式コルク栓抜き器。
【請求項４】
コルク栓引抜機能は、コルク栓に螺入し係合するスクリューと、
当該スクリューを挿入口方向へ移動及び正回転させてコルク栓に螺入させ、かつ、コルク栓と係合したスクリューを反挿入口方向へ移動させてコルク栓を引き抜く電動のスクリュー台とを備えたことを特徴とする請求項１から３のいずれかに記載の電動式コルク栓抜き器。
【請求項５】
コルク栓に当接してスクリューの螺入をガイドする可動自在なスクリューホルダーを備えたことを特徴とする請求項４記載の電動式コルク栓抜き器。
【請求項６】
コルク栓取外機能は、スクリュー台を挿入口方向へ移動して引き抜いたコルク栓を挿入口に位置させた状態でロックされる前記スクリューホルダーと、
ロックされたスクリューホルダーと当接するコルク栓に対して、スクリューを反挿入口方向へ移動及び逆回転させてその係合を解いてコルク栓を取り外す電動の前記スクリュー台とを備えたことを特徴とする請求項５記載の電動式コルク栓抜き器。
【請求項７】
前記スクリューホルダーは、スクリューホルダーの外に付勢されてスクリューホルダーをロックするとともにスクリュー台に設けられたフック受け部材と掛合可能なフック部材と、スクリューホルダーの外側に摺動自在に嵌合しフック部材の付勢を抑制するロックリングとを備え、
挿入口に挿入されたボトルネックによって、ロックリングが摺動しフック部材の付勢を抑制してスクリューホルダーのロック状態が解除されるとともに、スクリューをコルク栓に螺入させるために挿入口方向へ移動したスクリュー台のフック受け部材とフック部材とが掛合して、コルク栓と係合したスクリューを反挿入口方向へ移動させるためにスクリュー台及びスクリューホルダーが結合して反挿入口方向へ移動しコルク栓を引き抜き、引き抜いたコルク栓を取り外すためにスクリュー台及びスクリューホルダーを挿入口方向へ移動させ、引き抜いたコルク栓を挿入口に位置させた状態でフック部材の付勢によってスクリューホルダーがロックされることを特徴とする請求項６記載の電動式コルク栓抜き器。
【請求項８】
スクリューホルダーの位置を確認できるインジケーターを備えたことを特徴とする請求項１から７のいずれかに記載の電動式コルク栓抜き器。
【請求項９】
電源は、ＡＣ式，一次電池式，二次電池式又はＡＣアダプター式若しくはこれらの組み合わせであることを特徴とする請求項１から８のいずれかに記載の電動式コルク栓抜き器。
【発明の詳細な説明】
【技術分野】
【０００１】
本発明は、ワインボトルなどのコルク栓を電動で栓抜きする電動式コルク栓抜き器に関するものである。
【背景技術】
【０００２】
ワインボトルなどのコルク栓を栓抜きする器具としては、実に様々なものが存在している。手動式のものとしては、例えば、特許文献１がある。また、電動式のものとしては、例えば、特許文献２がある（請求項３に係る発明）。
【０００３】
【特許文献１】実用新案登録第３０５１６８２号公報
【特許文献２】特開２００１−２１９９９４号公報
【発明の開示】
【発明が解決しようとする課題】
【０００４】
これに対して、本願発明者らは、コルク栓を栓抜きする場合に、使う人によって個人差が出ないように安全に、失敗無く、簡単で楽に栓抜きできる電動式のコルク栓抜き器を提供することを目的として、本発明の完成に至った。
【課題を解決するための手段】
【０００５】
上記目的を達成する本発明の第１の発明は、コルク栓を備えたボトルネックを挿入する挿入口と、挿入されたボトルネックに本器具を固定するための器具固定機能と、挿入されたボトルネックのコルク栓と係合してコルク栓を引き抜く電動のコルク栓引抜機能とを備えた電動式コルク栓抜き器であることを特徴とする。ここで「ボトルネック」とは、ボトル（瓶）の狭い口部分をいう。
第２の発明は、引き抜いたコルク栓の係合を解いてコルク栓を取り外すコルク栓取外機能を備えたことを特徴とする。
第３の発明は、器具固定機能が、挿入口内面へ出没自在なチャッキングレバーと、当該チャッキングレバーを挿入口側へ付勢して挿入口内面へ突出させて挿入されたボトルネックへ係止させるとともに、チャッキングレバーの挿入口側への付勢を解いてボトルネックへの係止を解除するチャッキングリングとを備えたことを特徴とする。
第４の発明は、コルク栓引抜機能が、コルク栓に螺入し係合するスクリューと、当該スクリューを挿入口方向へ移動及び正回転させてコルク栓に螺入させ、かつ、コルク栓と係合したスクリューを反挿入口方向へ移動させてコルク栓を引き抜く電動のスクリュー台とを備えたことを特徴とする。
第５の発明は、コルク栓に当接してスクリューの螺入をガイドする可動自在なスクリューホルダーを備えたことを特徴とする。
第６の発明は、コルク栓取外機能が、スクリュー台を挿入口方向へ移動して引き抜いたコルク栓を挿入口に位置させた状態でロックされる前記スクリューホルダーと、ロックされたスクリューホルダーと当接するコルク栓に対して、スクリューを反挿入口方向へ移動及び逆回転させてその係合を解いてコルク栓を取り外す電動の前記スクリュー台とを備えたことを特徴とする。
第７の発明は、前記スクリューホルダーが、スクリューホルダーの外に付勢されてスクリューホルダーをロックするとともにスクリュー台に設けられたフック受け部材と掛合可能なフック部材と、スクリューホルダーの外側に摺動自在に嵌合しフック部材の付勢を抑制するロックリングとを備え、挿入口に挿入されたボトルネックによって、ロックリングが摺動しフック部材の付勢を抑制してスクリューホルダーのロック状態が解除されるとともに、スクリューをコルク栓に螺入させるために挿入口方向へ移動したスクリュー台のフック受け部材とフック部材とが掛合して、コルク栓と係合したスクリューを反挿入口方向へ移動させるためにスクリュー台及びスクリューホルダーが結合して反挿入口方向へ移動しコルク栓を引き抜き、引き抜いたコルク栓を取り外すためにスクリュー台及びスクリューホルダーを挿入口方向へ移動させ、引き抜いたコルク栓を挿入口に位置させた状態でフック部材の付勢によってスクリューホルダーがロックされることを特徴とする。
第８の発明は、スクリューホルダーの位置を確認できるインジケーターを備えたことを特徴とする。
第９の発明は、電源が、ＡＣ式，一次電池式，二次電池式又はＡＣアダプター式若しくはこれらの組み合わせであることを特徴とする。ここで「一次電池」とは、使用後に再び充電して用いられない電池のことをいう。「二次電池」とは、充電して再使用可能な電池のことをいう。
【発明の効果】
【０００６】
上記発明によれば、以下のような効果を有する。
（１）コルク栓を備えたボトルネックを挿入する挿入口と、挿入されたボトルネックに本器具を固定するための器具固定機能と、挿入されたボトルネックのコルク栓と係合してコルク栓を引き抜く電動のコルク栓引抜機能と、場合によってはさらに引き抜いたコルク栓の係合を解いてコルク栓を外すコルク栓取外機能を備えることで、使う人によって個人差が出ないような安全で、失敗無く、簡単で楽に栓抜きできる電動式のコルク栓抜き器を提供できる。
（２）具体的には、器具固定機能が、挿入口内面へ出没自在なチャッキングレバーと、当該チャッキングレバーを挿入口側へ付勢して挿入口内面へ突出させて挿入されたボトルネックへ係止させるとともに、チャッキングレバーの挿入口側への付勢を解いてボトルネックへの係止を解除するチャッキングリングとを備えたことで、本器具をボトルネックへ確実に固定できるとともに、その取付け・取外しを安全で、失敗無く、簡単で楽に行える。
（３）コルク栓引抜機能が、コルク栓に螺入し係合するスクリューと、当該スクリューを正回転及び挿入口方向へ移動させてコルク栓に螺入させ、かつ、コルク栓と係合したスクリューを反挿入口方向へ移動させてコルク栓を引き抜く電動のスクリュー台とを備えたことで、コルク栓の引き抜きを安全で、失敗無く、簡単で楽に行える。
（４）コルク栓に当接してスクリューの螺入をガイドする可動自在なスクリューホルダーを備えることで、コルク栓の中心へのスクリューの螺入を確実に行える。また、安全性にも寄与する。すなわち、通常スクリューは剥き出しか又は保護用の別パーツを付けるかしているが、本発明ではスクリュー先端はスクリューホルダーに覆われてカバーされているため、安全であり、安全用保護カバーの着脱も必要のない合理性と安全性を持ったことを特徴とする。
（５）コルク栓取外機能が、スクリュー台を挿入口方向へ移動し引き抜いたコルク栓を挿入口に位置させた状態でロックされるスクリューホルダーと、ロックされたスクリューホルダーと当接するコルク栓に対して、スクリューを逆回転及び反挿入口方向へ移動させてその係合を解いてコルク栓を外す電動のスクリュー台とを備えたことで、係合したスクリューからのコルク栓外しを安全で、失敗無く、簡単で楽に行える。
（６）スクリューホルダーが、スクリューホルダーの外に付勢されてスクリューホルダーをロックするとともにスクリュー台に設けられたフック受け部材と掛合可能なフック部材と、スクリューホルダーの外側に摺動自在に嵌合しフック部材の付勢を抑制するロックリングとを備え、挿入口に挿入されたボトルネックによって、ロックリングが摺動しフック部材の付勢を抑制してスクリューホルダーのロック状態が解除されるとともに、スクリューをコルク栓に螺入させるために挿入口方向へ移動したスクリュー台のフック受け部材とフック部材とが掛合して、コルク栓と係合したスクリューを反挿入口方向へ移動させるためにスクリュー台及びスクリューホルダーが結合して反挿入口方向へ移動しコルク栓を引き抜き、引き抜いたコルク栓を外すためにスクリュー台及びスクリューホルダーを挿入口方向へ移動させ、引き抜いたコルク栓を挿入口に位置させた状態でフック部材の付勢によってスクリューホルダーがロックされることで、コルク栓引抜機能及びコルク栓取外機能を簡単かつ確実に実現できる。
（７）スクリューホルダーの位置を確認できるインジケーターを備えたことで、本器具の誤使用を防止することができる。すなわち、スクリューに係合するコルク栓の有無に関わらずスクリューホルダーが反挿入口方向にある状態で、新しいボトル（コルク栓が付いている）に本器具を取り付けて作動させると、スクリューが回転せずに挿入口方向へ移動するので新しいボトルのコルク栓がボトルの中へ押し込まれてしまうことになるので、スクリューホルダーの位置を確認できることはこうした誤使用を未然に防止することになる。
（８）電源が、ＡＣ式，一次電池式，二次電池式又はＡＣアダプター式若しくはこれらの組み合わせであることで、本器具の使用を安全で、失敗無く、簡単で楽に行える。
【発明を実施するための最良の形態】
【０００７】
本発明の実施形態を図面に基づいて説明する。
まず、図１から図７は、本発明に係る電動式コルク栓抜き器の構造及び動作を説明する説明図である。
【０００８】
図１及び図２は、電動式コルク栓抜き器（以下「本器具」）１０の器具固定機能を示す説明図である。器具固定機能とは、挿入されたボトルネック９０に本器具１０を固定するための機能である。
本器具１０は、器具固定機能のためにチャッキングレバー２０とチャッキングリング２５を備える。チャッキングレバー２０は、コルク栓９１を備えたボトルネック９０を挿入する挿入口１１の内面１２へ出没自在な部材である。また、チャッキングリング２５は、チャッキングレバー２０を挿入口１１側へ付勢して挿入口内面１２へ突出させて挿入されたボトルネック９０へ係止させるとともに、チャッキングレバー２０の挿入口１１側への付勢を解いてボトルネック９０への係止を解除する部材である。
【０００９】
図１左図に示すように、チャッキングレバー２０，２０は挿入口１１の外側に頂部２１，２１を軸着するようにハ字形に取り付けられている。また、チャッキングレバー２０，２０は、挿入口１１側へ付勢された場合に挿入口内面１２へ突出する突起部２２，２２を備えている。そして、このチャッキングレバー２０，２０を外嵌するようにチャッキングリング２５が取り付けられている。
【００１０】
器具固定機能は、まず第１に、チャッキングリング２５がチャッキングレバー２０，２０の頂部２１，２１側にあってチャッキングレバー２０，２０を挿入口１１側へ付勢していない状態で、本器具１０の挿入口１１がコルク栓９１を備えたボトルネック９０上へ来るようにする（図１右図）。
次に、挿入口１１へボトルネック９０を挿入する（図２左図）。
そして、チャッキングリング２５をチャッキングレバー２０，２０の反頂部２３，２３側（図中矢印方向）へ移動させる。すると、チャッキングレバー２０，２０が挿入口１１側へ付勢され、チャッキングレバー２０，２０の突起部２２，２２が挿入口内面１２へ突出し、ボトルネック９０の段部９２に係止する。これによって、ボトルネック９０に本器具１０を固定することができる（図２右図）。
また、この固定を解くためには、これと逆のことをすればよい。すなわち、チャッキングリング２５をチャッキングレバー２０，２０の頂部２１，２１側へ移動させる。すると、チャッキングレバー２０，２０の挿入口１１側への付勢が解かれ、チャッキングレバー２０，２０の突起部２２，２２が挿入口内面１２へ突出しなくなり、ボトルネック９０の段部９２との係止が解除される。これによって、ボトルネック９０に対する本器具１０の固定を解除することができる。
【００１１】
図３及び図４は、本器具１０のコルク栓引抜機能を示す説明図である。コルク栓引抜機能とは、挿入されたボトルネック９０のコルク栓９１と係合してコルク栓９１を引き抜くための機能である。
本器具１０はコルク栓引抜機能のために、まずスクリュー３１とスクリュー台３０とを備える。スクリュー３１は、コルク栓に螺入し係合する部材である。また、スクリュー台３０は、スクリュー３１を挿入口１１方向へ移動及び正回転させてコルク栓９１に螺入させ、かつ、コルク栓９１と係合したスクリュー３１を反挿入口１４方向へ移動させてコルク栓９１を引き抜く電動部材である。
本器具１０はその他に、スクリューホルダー４０を備える。スクリューホルダー４０は、ここではコルク栓９１に当接してスクリュー３１の螺入をガイドする可動自在な部材であり、スクリュー台３０に設けられたフック受け部材３２，３２と掛合可能なフック部材４１，４１を備える。
【００１２】
図３左図に示すように、スクリュー台３０は反挿入口１４側に位置し、スクリュー３１が本器具１０の長手方向中心部に位置するようにスクリュー台３０に取り付けられている。なお、スクリュー台３０の移動構造及びスクリュー３１の回転構造については、後ほど詳細に説明する。
また、スクリューホルダー４０は挿入口１１に挿入されたボトルネック９０のコルク栓９１に当接するように位置しており、反挿入口１４側には逆ハ字形に付勢するフック部材４１，４１を備えている。
【００１３】
コルク栓引抜機能は、まず第１に、本器具１０の挿入口１１へボトルネック９０を挿入し固定すると、コルク栓９１とスクリューホルダー４０が当接するとともに、スクリューホルダー４０の外側に摺動自在に嵌合しているロックリング４５が持ち上げられ、フック部材４１，４１の付勢を抑制する（図３左図）。
次に、スクリュー台３０がスクリュー３１を挿入口１１方向へ移動及び正回転させてコルク栓９１に螺入させるとともに、スクリュー台３０に設けられたフック受け部材３２，３２とスクリューホルダー４０のフック部材４１，４１とが掛合する（図３右図）。
そして、スクリュー台３０がコルク栓９１と係合したスクリュー３１をスクリューホルダー４０とともに反挿入口１４方向へ移動させて、コルク栓９１を引き抜くことができるものである（図４左図）。
最後に、チャッキングリング２５を頂部２１，２１側（図中矢印方向）へ移動し、チャッキングレバー２０，２０の係止を解除すれば、コルク栓９１の引き抜かれたボトルネック９０から本器具１０を取り外すことができる（図４右図）。
【００１４】
図５〜図７は、本器具１０のコルク栓取外機能を示す説明図である。コルク栓取外機能とは、引き抜いたコルク栓の係合を解いてコルク栓を取り外すための機能である。
コルク栓取外機能は、まず第１に、ボトルネック９０から本器具１０を取り外すことが必要である。そのために、チャッキングリング２５を頂部２１，２１側（図中矢印方向）へ移動し、チャッキングレバー２０，２０の係止を解除することで本器具１０を取り外す（図５左図）。
第２に、引き抜いたコルク栓９１を外すためにスクリュー台３０を挿入口１１方向へ移動させる（図５右図）。
第３に、引き抜いたコルク栓９１が挿入口１１に位置した状態になると、ロックリング４５が下がっており、フック部材４１，４１の付勢によってスクリューホルダー４０がロックされる（図６左図）。
第４に、スクリューホルダー４０がロックされた状態で、これと当接するコルク栓９１に対して、スクリュー台３０がスクリュー３１を反挿入口１４方向へ移動及び逆回転させる（図６右図）。すると、その係合が解かれ、コルク栓９１が外れる（図７）。
【００１５】
次に、スクリュー台３０の動作（上下動）について、図８を使用して説明する。図８は、本器具１０の内部構造を示す構造図であり、右図は正面図、左図は側面図である。
スクリュー台３０は電動であり、本器具１０に内蔵されたモータ３３によって稼動する。モータ３３の回転力は、歯車３段にて減速する。そして、最後の歯車３４に軸歯車３５，３５が２個噛み合っている。ここで、軸歯車３５，３５は、同一の歯車３４に噛み合っているので同速で同一の方向に回転する。この軸歯車３５，３５に雄ねじをきった回転動力軸３６，３６が空転しないようにＤカットなどで固定されている。
一方、スクリュー台３０には、雌ねじが切られたインサートナット３７，３７が圧入されている（但し、スクリュー台３０に直に雌ねじが切られていても良い）。そして、このインサートナット３７，３７に回転動力軸３６，３６がねじ嵌合している。
従って、モータ３３が回転すると回転動力軸３６，３６が回転し、ねじ嵌合されているのでスクリュー台３０は上下動することができるのである。なお、スクリュー台３０が上下する方向は、モータ３３の回転が正回転か逆回転かの方向による。図９に、モータ３３の正回転と逆回転の電気回路図を示す。上図がモータ３３を正回転させてスクリュー台３０を下げる（挿入口１１側へ移動させる）電気回路図であり、下図がモータ３３を逆回転させてスクリュー台３０を上げる（反挿入口１４側へ移動させる）電気回路図である。
【００１６】
また、スクリュー台３０の動作（スクリュー３１自身の回転）について、図１０を使用して説明する。図１０も、図８と同じく本器具１０の内部構造を示す構造図であり、左側２図は初期状態（Ａ状態）を示す側面図・正面図であり、右図２図はコルク栓９１が引き抜かれた状態（Ｂ状態）を示す側面図・正面図である。
スクリュー３１の回転には、スクリューホルダー４０の存在が大きく関わってくる。すなわち、スクリューホルダー４０のセンターライン上に平行ピン４２がセットされており（図面上では、スクリュー３１と平行ピン４２が重なっているが、実際は螺旋の隙間に平行ピン４２が入る）、この平行ピン４２とスクリュー台３０の上下動によってスクリュー３１が回転するものであり、スクリュー３１の回転はモータ３３の回転と直接関係するものではない。もちろん、本発明がスクリュー３１の回転をモータ３３の回転と直接関係するような構造にすることを否定するものではない。
【００１７】
図１０を用いて、スクリュー３１の回転についてさらに詳しく説明する。
（１）「初期状態」では、スクリューホルダー４０は下部側（挿入口１１側）にロック状態にある（左側２図）。そこに、スクリュー台３０が下がってくる（挿入口１１側へ移動してくる）とスクリュー台３０に回転自在に取り付けられたスクリュー３１も下がってくる（挿入口１１側へ移動してくる）ことになる。スクリュー３１は平行ピン４２を突き抜けて前進はできないので、平行ピン４２に沿って正回転しながら前進することになる。そして、コルク栓９１があればスクリュー３１が突き刺さることになる。なお、スクリューホルダー４０がスクリュー台３０と一緒に移動する場合は、スクリュー３１が回転することなしに、単なる上下移動となる。
（２）上記（１）の工程が済むとスクリュー台３０は上がる（反挿入口１４側へ移動する）が、この時スクリューホルダー４０がスクリュー台３０と一体になって上がる。上記のように一緒に移動する場合は、スクリュー３１が回転することなしに移動して行くので、コルク栓９１がボトルネック９０から引き抜けるということになる。
（３）スクリュー３１が逆回転する場合は、コルク栓９１が引き抜かれた状態（右側２図）から作動させる場合である。作動を開始するとスクリューホルダー４０は上部（反挿入口１４側）にあるので下りて来る（挿入口１１側へ移動してくる）が、スクリュー台３０と一緒に移動するので上記と同様に単なる下降移動となる。
（４）下り切った（挿入口１１側へ移動し切った）所でスクリューホルダー４０は分離され上部（反挿入口１４側）に移動しないようにロックされ、モータ３３が逆回転に切り替えられてスクリュー台３０だけが上昇（反挿入口１４側へ移動）していく。スクリュー３１も上がって行く（反挿入口１４側へ移動していく）ことになるが、上記（１）の場合とは逆に後退しながら平行ピンに沿って逆回転することになる。コルク栓９１が係合している場合には、スクリューホルダー４０が下部でロックされているのでスクリュー３１からコルク栓９１が外れることになる。
【００１８】
以上、これまで説明した本器具１０の動作とスイッチ及びスクリュー３１との関係をまとめると図１１の表のようになる。
【００１９】
ここで、本器具１０のスイッチについて補足する。本器具１０では、メインスイッチ（メインＳＷ１）と内部スイッチ（内部ＳＷ２）を備える。メインスイッチは、モータ３３を正回転・逆回転させるためにあり、いわば正逆切り替え用のスイッチである。一方、内部スイッチはモータ３３を止めるためのスイッチである。両者の関係は次の通りである。
図１０に示すように「初期状態（Ａ状態）」と「コルクが抜かれた状態（Ｂ状態）」（ともに「スタート状態」）ではスクリュー台３０は、上部（反挿入口１４側）にある。作動させるためにスイッチボタン１３（本体の外面にある）を操作すると、スイッチレバーが上方に起こされてメインスイッチが切り替えられ、モータ３３を正回転させる。そして、スクリュー台３０が上から下に移動する。スクリュー台３０が下り切った所で、スクリュー台３０によってメインスイッチのスイッチレバーが下方に押されてメインスイッチが切り替えられ、モータ３３を逆回転させる。すると、スクリュー台３０は下から上に移動するが、何らかの方法でモータ３３を停止させないと、「スタート状態」の位置を通り越してスクリュー台３０の上方にある構造物に当たってしまい、モータ３３がロック状態（通電しているのに止められる）となってしまう。この状態は、非常に危険な状態でモータ３３や充電池の発熱を引き起こすため、「スタート状態」の位置に内部スイッチを設置し、電流を切るようにしたものである。スクリュー台３０によって内部スイッチ（この例ではマイクロスイッチ）の押ボタンを押し電流を切る。なお、この内部スイッチは、メインスイッチの逆転の回路に入っていて、メインスイッチが逆転の時だけ働くようになっている。従って、正回転してスクリュー台３０が下に移動して内部スイッチの押ボタンが元に戻っても、正回転している間は回路上関係なく、本器具の動作を止めてしまうことはない。
【００２０】
最後に、図１０を用いて、スクリューホルダー４０の位置を確認できるインジケーターについて説明する。
図１０に示すように、インジケーター４８はスクリューホルダー４０に取り付けられている。このため、インジケーター４８はスクリューホルダー４０と一緒に移動し、スクリューホルダー４０の位置を表すことができるのである。通常は、インジケーター４８が上にあれば、図面中「Ｂ状態」のように引き抜かれたコルク栓９１が本器具１０中にある。特別な場合、例えばコルク栓９１の無い空のボトルネック９０を取り付けて作動させると、コルク栓９１が無くてもスクリューホルダー４０が上がり（反挿入口１４側へ移動し）、インジケーター４８が上になる。コルク栓９１があってもなくても、スクリューホルダー４０が上にある状態で、新しいボトルネック９０（コルク栓９１が付いている）に本器具１０を取り付けて作動させると、スクリュー３１が回転せずに下りて来るので新しいボトルネック９０のコルク栓９１がボトルの中へ押し込まれてしまうため、これを防止するためにインジケーター４８を設けるものである。
なお、コルク栓９１が無くて（あっても）インジケーター４８が上にある場合の対処方法は、本器具１０にボトルネック９０など何も取り付けずに空運転すると、図面中の「Ａ状態（初期状態）」に戻る。
【００２１】
電動式のスクリュー台３０の電源としては、例えば、ＡＣ式，一次電池式，二次電池式又はＡＣアダプター式若しくはこれらの組み合わせである。
【産業上の利用可能性】
【００２２】
ワインボトルなどのコルク栓を電動で栓抜きする電動式コルク栓抜き器に関するものであり、家庭用のオープナーとしても、また、業務用のオープナーとしても利用できるものである。
【図面の簡単な説明】
【００２３】
【図１】電動式コルク栓抜き器の構造及び動作を説明する説明図（その１）。
【図２】電動式コルク栓抜き器の構造及び動作を説明する説明図（その２）。
【図３】電動式コルク栓抜き器の構造及び動作を説明する説明図（その３）。
【図４】電動式コルク栓抜き器の構造及び動作を説明する説明図（その４）。
【図５】電動式コルク栓抜き器の構造及び動作を説明する説明図（その５）。
【図６】電動式コルク栓抜き器の構造及び動作を説明する説明図（その６）。
【図７】電動式コルク栓抜き器の構造及び動作を説明する説明図（その７）。
【図８】電動式コルク栓抜き器の内部構造を示す構造図。
【図９】モータの正回転と逆回転の電気回路図。
【図１０】電動式コルク栓抜き器の内部構造を示す構造図。
【図１１】本器具の動作とスイッチ及びスクリューとの関係をまとめた表。
【符号の説明】
【００２４】
１０  電動式コルク栓抜き器    １１  挿入口      １２  挿入口内面
１３  スイッチボタン          １４  反挿入口
２０  チャッキングレバー      ２１  頂部        ２２  突起部
２３  反頂部                  ２５  チャッキングリング
３０  スクリュー台            ３１  スクリュー  ３２  フック受け部材
３３  モータ    ３４  歯車    ３５  軸歯車      ３６  回転動力軸
３７  インサートナット
４０  スクリューホルダー      ４１  フック部材  ４２  平行ピン
４５  ロックリング            ４８  インジケーター
９０  ボトルネック            ９１  コルク栓    ９２  段部
【図１】
2007119007.tif 000003
【図２】
2007119007.tif 000004
【図３】
2007119007.tif 000005
【図４】
2007119007.tif 000006
【図５】
2007119007.tif 000007
【図６】
2007119007.tif 000008
【図７】
2007119007.tif 000009
【図８】
2007119007.tif 000010
【図９】
2007119007.tif 000011
【図１０】
2007119007.tif 000012
【図１１】
2007119007.tif 000013